(57)【特許請求の範囲】
【請求項１】
撮影モードの設定が可能なカメラに対して交換可能な撮影レンズであって、
撮影条件に関する情報を電子的に表示する表示手段と、
前記表示手段を制御する制御手段と、を有し、
ユーザが接眼レンズを介して被写体像を観察しながら撮影するための撮影モードを第１の撮影モードとし、ユーザが電子モニタに表示された被写体像を観察しながら撮影するための撮影モードを第２の撮影モードとするとき、
前記制御手段は、前記カメラにおいて設定された撮影モードが前記第１の撮影モードである場合は、前記カメラにおける撮影準備動作の開始を示す通知または撮影開始を示す通知または前記表示手段に表示される前記情報の内容を選択する部材が操作されたことを示す通知を受けたことに応じて前記表示手段に前記情報の表示を開始させ、前記カメラにおいて設定された撮影モードが前記第２の撮影モードである場合は、前記第１の撮影モードよりも早いタイミングで前記表示手段に前記情報の表示を開始させることを特徴とする撮影レンズ。
【請求項２】
前記制御手段は、前記カメラに設定された撮影モードが前記第１の撮影モードである場合と前記第２の撮影モードである場合とで前記表示手段による前記情報の表示時間を異ならせることを特徴とする請求項１に記載の撮影レンズ。
【請求項３】
前記制御手段は、前記カメラにおいて設定された撮影モードが前記第１の撮影モードである場合と前記第２の撮影モードである場合とで、前記表示手段に前記表示手段に前記情報の表示を停止させるタイミングを異ならせることを特徴とする請求項２に記載の撮影レンズ。 
【請求項４】
前記制御手段は、前記カメラにおいて設定された撮影モードが前記第１の撮影モードである場合は、前記表示手段に、前記情報の表示を開始させてから所定時間経過後に前記情報の表示を停止させることを特徴とする請求項３に記載の撮影レンズ。 
【請求項５】
前記カメラにおいて設定された撮影モードが前記第２の撮影モードである場合は、前記制御手段は、前記制御手段が前記カメラから前記カメラの電源がオフであることを示す通知または前記カメラが省電力モードであることを示す通知を受けたことに応じて、前記表示手段に前記情報の表示を停止させることを特徴とする請求項３又は４に記載の撮影レンズ。
【請求項６】
前記カメラにおいて設定された撮影モードが前記第２の撮影モードである場合は、前記制御手段は、前記カメラおいて前記第２の撮影モードが設定されたことを示す通知を受けたことに応じて前記表示手段に前記情報の表示を開始させることを特徴とする請求項１乃至５のいずれか１項に記載の撮影レンズ。
【請求項７】
前記カメラにおいて設定された撮影モードが前記第１の撮影モードである場合は、前記制御手段は、撮影ごとに、前記表示手段の表示開始および表示停止を行うことを特徴とする請求項１乃至６のいずれか１項に記載の撮影レンズ。
【請求項８】
前記第１の撮影モードは静止画撮影を行う撮影モードであり、前記第２の撮影モードは、静止画撮影を行う撮影モード、又は、動画撮影を行うモードであることを特徴とする請求項１乃至７のいずれか１項に記載の撮影レンズ。
【請求項９】
カメラに対して交換可能な撮影レンズであって、
撮影条件に関する情報を電子的に表示する表示手段と、
前記カメラの種類に応じて、前記表示手段における電力の消費量が異なるように前記表示手段を制御する制御手段と、を有することを特徴とする撮影レンズ。
【請求項１０】
前記制御手段は、前記カメラの種類が光学ファインダを有するカメラである場合と、前記光学ファインダを有さないカメラである場合とで、前記表示手段に前記情報の表示を開始させるタイミングを異ならせることにより、前記表示手段における電力の消費量を異ならせることを特徴とする請求項９に記載の撮影レンズ。
【請求項１１】
前記制御手段は、前記カメラの種類が光学ファインダを有するカメラである場合は、前記光学ファインダを有するカメラが撮影モードであることの通知を受けかつ前記光学ファインダを有するカメラに設定された撮影モードの種類の通知を受けてから、前記光学ファインダを有するカメラに設定された前記撮影モードの種類に応じたタイミングで前記情報の表示を開始させることを特徴とする請求項１０に記載の撮影レンズ。
【請求項１２】
前記制御手段は、前記カメラの種類が光学ファインダを有しないカメラである場合は、前記光学ファインダを有しないカメラの電源がオンであることを示す通知を受けたことに応じて前記表示手段に前記情報の表示を開始させることを特徴とする請求項１０又は１１に記載の撮影レンズ。
【請求項１３】
前記制御手段は、三脚を用いない撮影状態である場合と三脚を用いた撮影状態である場合とで、前記表示手段における電力の消費量が異なるように前記表示手段を制御することを特徴とする請求項９乃至１２のいずれか１項に記載の撮影レンズ。 
【請求項１４】
前記制御手段は、前記カメラが三脚に接続されている場合は、前記カメラが三脚に接続されていない場合に比べて、前記表示手段における前記情報の表示時間を長くすることを特徴とする請求項１３に記載の撮影レンズ。
【請求項１５】
前記情報は、焦点距離を含むことを特徴とする請求項１乃至１４のいずれか１項に記載の撮影レンズ。
【請求項１６】
前記情報は複数種類あり、
前記制御手段は、前記情報の種類に応じて前記表示手段における電力の消費量が異なるように前記表示手段を制御することを特徴とする請求項１乃至１５のいずれか１項に記載の撮影レンズ。
【請求項１７】
カメラに対して交換可能な撮影レンズであって電子的に情報を表示する表示手段を有する撮影レンズのコンピュータに、前記表示手段を制御させるためのコンピュータプログラムであって、
ユーザが接眼レンズを介して被写体像を観察しながら撮影するための撮影モードを第１の撮影モードとし、ユーザが電子モニタに表示された被写体像を観察しながら撮影するための撮影モードを第２の撮影モードとするとき、
前記コンピュータに、前記カメラにおいて設定された撮影モードが前記第１の撮影モードである場合は、前記カメラにおける撮影準備動作の開始を示す通知または撮影開始を示す通知または前記表示手段に表示される前記情報の内容を選択する部材が操作されたことを示す通知を受けたことに応じて前記表示手段に前記情報の表示を開始させ、前記カメラにおいて設定された撮影モードが前記第２の撮影モードである場合は、前記第１の撮影モードよりも早いタイミングで前記表示手段に前記情報の表示を開始させることを特徴とするプログラム。
【請求項１８】
カメラに対して交換可能な撮影レンズであって電子的に情報を表示する表示手段を有する撮影レンズのコンピュータに、前記表示手段を制御させるためのコンピュータプログラムであって、
前記コンピュータに、前記カメラの種類に応じて、前記表示手段における電力の消費量が異なるように前記表示手段を制御させることを特徴とするプログラム。
【発明の詳細な説明】
【技術分野】
【０００１】
本発明は、撮影レンズおよび表示制御プログラムに関する。
【背景技術】
【０００２】
交換レンズには、撮影距離（被写体距離）、焦点距離、絞り値、被写界深度等の情報を電子的に表示するＬＣＤパネル等の表示素子を備えたものがある。特許文献１には、レンズ鏡筒部に電子ペーパー等の表示素子を設け、被写体距離や焦点距離等の情報をカメラ側に設けられた設定スイッチにより切り替えて該表示素子に表示する交換レンズが開示されている。また、このように交換レンズに表示素子が設けられている場合、一般には、カメラの電源スイッチがオンされることに応じて表示素子での表示が開始され、カメラの電源スイッチがオフされると表示素子での表示も停止される。
【先行技術文献】
【特許文献】
【０００３】
【特許文献１】特開２００７−０７２４０７号公報
【発明の概要】
【発明が解決しようとする課題】
【０００４】
しかしながら、交換レンズが装着されるデジタルカメラには、様々な撮影モードの選択（設定）が可能のものが多い。デジタル一眼レフカメラでは、光学ファインダを用いた静止画撮影を行うための撮影モード、カメラの背面に設けられた電子モニタにライブビュー画像を表示しながら静止画撮影を行うための撮影モード、動画撮影を行うための撮影モード等の選択が可能である。また、デジタル一眼レフカメラに装着される交換レンズが、ミラーレスカメラと称される光学ファインダを持たないデジタルカメラに装着される場合もある。このように交換レンズが撮影モードの選択が可能なカメラや異なる種類のカメラに装着されるにもかかわらず、交換レンズの表示素子の表示／非表示がカメラの電源スイッチのオン／オフにより切り替わるだけでは表示素子にて無駄に電力が消費される状況が生じる。
【０００５】
本発明は、撮影レンズの表示手段を適切に制御することにより省電力化を図ることができるようにした撮影レンズおよび表示制御プログラムを提供する。
【課題を解決するための手段】
【０００６】
本発明の一側面としての撮影レンズは、撮影モードの設定が可能なカメラに対して交換可能である。該撮影レンズは、撮影条件に関する情報を電子的に表示する表示手段と、該表示手段を制御する制御手段を有する。ユーザが接眼レンズを介して被写体像を観察しながら撮影するための撮影モードを第１の撮影モードとし、ユーザが電子モニタに表示された被写体像を観察しながら撮影するための撮影モードを第２の撮影モードとするとき、制御手段は、カメラにおいて設定された撮影モードが第１の撮影モードである場合は、カメラにおける撮影準備動作の開始を示す通知または撮影開始を示す通知または表示手段に表示される情報の内容を選択する部材が操作されたことを示す通知を受けたことに応じて表示手段に情報の表示を開始させ、カメラにおいて設定された撮影モードが第２の撮影モードである場合は、第１の撮影モードよりも早いタイミングで表示手段に情報の表示を開始させることを特徴とする。
【０００７】
また、本発明の他の一側面としての撮影レンズは、カメラに対して交換可能である。該撮影レンズは、撮影条件に関する情報を電子的に表示する表示手段と、前記カメラの種類に応じて、前記表示手段における電力の消費量が異なるように前記表示手段を制御する制御手段とを有することを特徴とする。
【０００９】
なお、撮影レンズのコンピュータに上記撮影レンズの動作を行わせるコンピュータプログラムとしての表示制御プログラムも、本発明の他の一側面を構成する。
【発明の効果】
【００１０】
本発明にかかる撮影レンズは、カメラにおいて設定された撮影モードに応じて適切な表示制御を行うことができる。また、カメラの種類に応じて適切な表示制御を行うことができる。これらにより、撮影レンズおよび該撮影レンズに電源を供給するカメラの省電力化を図ることができる。
【図面の簡単な説明】
【００１１】
【図１】本発明の実施例１である交換レンズを含むレンズ交換式カメラシステムの構成を示すブロック図。
【図２】実施例１の交換レンズで行われる表示制御処理を示すフローチャート。
【図３】本発明の実施例２である交換レンズで行われる表示制御処理を示すフローチャート。
【図４】実施例１の交換レンズでの表示制御タイミングチャート。
【図５】実施例１の交換レンズでの別の表示制御タイミングチャート。
【図６】実施例１の交換レンズにおける表示制御に関わる構成を示すブロック図。
【発明を実施するための形態】
【００１２】
以下、本発明の実施例について図面を参照しながら説明する。
【実施例１】
【００１３】
図１には、本発明の実施例１であるカメラアクセサリとしての交換レンズ１００と、該交換レンズ１００が取り外し可能に装着されるカメラ本体（以下、単にカメラという）２００とを含むレンズ交換式カメラシステムの構成を示している。
【００１４】
交換レンズ１００とカメラ２００は、それぞれに設けられたマウント部が互いに結合することで、両マウント部に設けられた電源ピンと通信ピンがそれぞれ接続される。これにより、カメラ２００から交換レンズ１００への電源供給と、カメラ２００と交換レンズ１００との間での双方向の通信とが可能となる。すなわち、交換レンズ１００に設けられたレンズ制御マイクロコンピュータ（以下、単にレンズマイコンという）１１０と、カメラ２００に設けられたカメラ制御マイクロコンピュータ（以下、単にカメラマイコンという）２０２とは相互に各種情報を通信する。
【００１５】
交換レンズ１００には、被写体からの光をカメラ２００内に設けられた撮像素子２０１上に結像させる撮影光学系が設けられている。撮影光学系は、交換レンズ１００のうちレンズ鏡筒部に収容されている。撮影光学系は、光軸方向に移動して撮影光学系の被写体に対する焦点状態を調節するフォーカスレンズ１０１と、光軸方向に移動して焦点距離を変更する変倍レンズ１０２と、光量調節を行う絞り１０３とを含む。
【００１６】
レンズマイコン１１０は、カメラマイコン２０２との間で通信を行うための通信手段であるレンズ通信部１０４に接続されている。また、レンズマイコン１１０は、フォーカス駆動部１０７および絞り駆動部１０８を介して、フォーカスレンズ１０１を移動させるフォーカスモータ１０５および絞り１０３を駆動する絞りモータ１０６を制御する。フォーカスモータ１０５や絞りモータ１０６としては、例えばステッピングモータを用いることができる。ステッピングモータを用いる場合には、フォーカスレンズ１０１や絞り１０３（以下これらをまとめて駆動対象物という）を初期位置に移動させた後に該モータに印加された駆動パルス信号の数をカウントすることで、駆動対象物の位置を検出することができる。また、ステッピングモータ以外のアクチュエータを用いる場合には、駆動対象物の位置を検出する位置検出器を設ければよい。
【００１７】
ズーム操作リング１０９は、変倍レンズ１０２を光軸方向に移動させるためにユーザにより回転操作されるレンズ操作部材（操作手段）の１つである。ズーム操作リング１０９の回転は、伝達機構を介して変倍レンズ１０２に伝達され、これを光軸方向に移動させる。これにより、マニュアルズーミングが行われる。変倍レンズ１０２の位置（以下、ズーム位置という）は、ポテンションメータを用いて構成されるズーム位置検出部１１１により検出され、検出されたズーム位置を示す信号はレンズマイコン１１０に入力される。記憶部１１４は、ズーム位置と撮影光学系の焦点距離との対応関係を示すデータを保持している。このため、レンズマイコン１１０は、記憶部１１４から、検出されたズーム位置に対応する焦点距離を取得することができる。
【００１８】
また、記憶部１１４は、フォーカスレンズ１０１の位置（以下、フォーカス位置という）と被写体距離との対応関係を示すデータも保持している。レンズマイコン１１０は、記憶部１１４から、検出されたフォーカス位置に対応する被写体距離を取得することができる。
【００１９】
また、記憶部１１４は、絞り１０３における絞り位置とＦ値（絞り値）との対応関係を示すデータも保持している。このため、レンズマイコン１１０は、記憶部１１４から、検出された絞り位置に対応するＦ値を取得することができる。さらに、レンズマイコン１１０は、取得したＦ値と焦点距離と被写体距離と許容錯乱円径とを用いた演算により、撮影光学系の被写界深度を取得することができる。
【００２０】
交換レンズ１００のレンズ鏡筒部の外周面のうちユーザが視認可能な位置には、ＬＣＤ（Liquid Crystal Display）や有機ＥＬ（Electro-Luminescent）素子等、情報を電子的に表示する表示素子１１２が配置されている。レンズマイコン１１０は、表示ドライバ１１６を介して表示素子１１２を制御し、該表示素子１１２に上述した焦点距離、被写体距離および被写界深度等の情報（撮影条件に関する情報）（以下、表示情報ともいう）を表示させることができる。また、レンズマイコン１１０は、表示素子１１２の表示と非表示を制御するための表示制御を行う。この際、後述するように、カメラ２００において設定（選択）された撮影モードに応じて異なる表示制御を行う。
【００２１】
さらに、レンズマイコン１１０は、レンズ鏡筒部における表示素子１１２の近傍に配置された表示スイッチ（ＤＳＷ）１１９が操作されると、表示素子１１２に表示する表示情報の内容（表示情報の種類や分類等）を変更する。レンズマイコン１１０が表示素子１１２に表示させるアイコンを含む様々な表示シンボルは、予めメモリ１１４に記憶されている。
【００２２】
レンズ鏡筒部の外周面には、ＡＦ（オートフォーカス）とＭＦ（マニュアルフォーカス）を切り替えるフォーカスモード切替えスイッチ１１７がスライド操作可能に配置されている。さらに、レンズ鏡筒部の外周面には、もう１つのレンズ操作部材であるフォーカス操作リング１１８が回転操作可能に配置されている。フォーカス操作リング１１８の回転は、レンズ鏡筒部に設けられたＰＩ（フォトインタラプタ）等の光センサを通じて検出される。レンズマイコン１１０は、ＭＦモードではフォーカス操作リング１１８の回転に応じて光センサから出力される２相のデジタルパルス信号を読み取ってその回転方向と回転量を検出する。そして、検出した回転方向と回転量に応じてフォーカスレンズ１０１を駆動する。
【００２３】
カメラ２００内において、撮像素子２０１は、撮影光学系により形成された被写体像をアナログ電気信号（撮像信号）に変換する。撮像素子２０１から出力されたアナログ撮像信号は、映像処理部２０３に送られ、ここでデジタル撮像信号に変換される。映像処理部２０３は、デジタル撮像信号に対して輝度調整、映像サイズ変更、ホワイトバランス調整、色調整等の映像処理が行って映像信号を生成する。映像信号は、カメラ２００の背面に設けられたＬＣＤ等により構成される背面モニタ（電子モニタ）２０４に表示されたり、記録部２０５を通じて半導体メモリ、ハードディスク、光ディスク等である記録媒体に記録されたりする。また、映像処理部２０３からの映像信号は、ＡＦ部２０６およびＡＥ（自動露出）部２０７にも送られる。
【００２４】
ＡＦ部２０６は、映像信号の高周波成分を抽出して該映像信号のコントラスト状態（つまりはフォーカス状態）を示すＡＦ評価値信号を生成する。カメラマイコン２０２は、ＡＦ評価値信号に基づいて交換レンズ１００内のフォーカスレンズ１０１の駆動を制御するためのＡＦ指令信号を生成する。そして、カメラ２００に設けられたカメラ通信部（通信手段）２０８およびレンズ通信部１０４を介して、ＡＦ指令信号をレンズマイコン１１０に送信する。
【００２５】
また、ＡＥ部２０７は、映像信号から輝度成分を抽出し、露出のオーバー／アンダーを示すＡＥ評価値信号を生成する。カメラマイコン２０２は、ＡＥ評価値信号に基づいて、交換レンズ１００内の絞り２０３の位置（Ｆ値）を制御するための絞り指令信号を生成し、カメラ通信部２０８およびレンズ通信部１０４を介してレンズマイコン１１０に送信する。
【００２６】
カメラマイコン２０２は、上述した交換レンズ１００におけるＡＦおよびＡＥに関する動作の制御に加えて、カメラ２００全体の動作の制御を行う。カメラマイコン２０２は、カメラ通信部２０８およびレンズ通信部１０４を介してレンズマイコン１１０から、交換レンズ１００の状態を示す情報、例えば現在のフォーカス位置、ズーム位置およびＦ値等を受信する。そして、カメラマイコン２０２は、これらの情報とＡＦ部２０６、ＡＥ部２０７および映像処理部２０３から得られた信号とを用いて、各レンズを制御する情報を生成してカメラ通信部２０８を介して交換レンズ１００側に送信する。そして、交換レンズ１００は、送信された情報を元に各レンズの制御を実行する。
【００２７】
カメラ２００内には、撮影光学系から撮像素子２０１に向かう光路に対して進退可能なミラー２０９を有する。光路内に位置するミラー２０９は、撮影光学系からの光（被写体像）を反射してペンタプリズム２１０を介して接眼レンズ２１１に導く。光路内に位置するミラー２０９、ペンタプリズム２１０および接眼レンズ２１１により光学ファインダが構成され、ユーザに接眼レンズ２１１を通した被写体像の観察を可能とする。撮像素子２０１の露光、すなわち記録用画像を取得するための撮影を行う際にはミラー２０９は光路外に退避する。この状態では、撮影光学系からの光は撮像素子２０１に向かう。撮像素子２０１の前にはフォーカルプレンシャッタ２１２が配置されており、このシャッタ２１２の開閉によって、撮像素子２０１が露光される時間（露光時間）である撮影時間が制御される。カメラマイコン２０２は、ミラー２０９の進退動作およびフォーカルプレンシャッタ２１２の開閉動作を制御する。
【００２８】
カメラ２００には、撮影準備動作の開始を指示するためにユーザにより操作される第１のスイッチＳＷ１と撮影の開始を指示するためにユーザにより操作される第２のスイッチＳＷ２とを含む撮影スイッチ２１３が設けられている。また、カメラ２００には、撮影に関する各種設定をユーザが行うためのボタンやスイッチ等の操作部材が設けられた操作部２１４が設けられている。さらに、カメラ２００には、背面モニタ２０４上のタッチ操作ＵＩ（User Interface）を通じてユーザによる撮影モードの設定（選択）を可能とする撮影モード設定部２１５も設けられている。
【００２９】
本実施例のカメラ２００は、複数の撮影モードを有する。具体的には、光学ファインダを用いて静止画撮影を行うための静止画ファインダ撮影モード（第１の撮影モード）と、背面モニタ２０４を用いて静止画撮影を行うための静止画ライブビュー撮影モード（第２の撮影モードの１つ）とを有する。静止画ファインダ撮影モード（以下、静止画ＶＦ撮影モードという）では、ユーザが光学ファインダを通して被写体を観察しながら撮影を行う。静止画ライブビュー撮影モード（以下、静止画ＬＶ撮影モードという）では、ユーザが背面モニタ２０４に表示された映像、すなわちライブビュー画像を通じて被写体を観察しながら撮影を行う。さらに、カメラ２００は、動画撮影を行うための動画撮影モード（第２の撮影モードの他の１つ）も有する。動画撮影モードは、ユーザは背面モニタ２０４に表示されたライブビュー画像または録画中の画像を通じて被写体を観察しながら撮影を行う。
【００３０】
カメラ２００において設定（選択）された撮影モード（以下、設定撮影モードという）に関する情報は、カメラマイコン２０２からレンズマイコン１１０に送信される。
【００３１】
次に、図２のフローチャートを用いて、レンズマイコン１１０が行う表示素子１１２の表示時間（表示期間）を最適化する表示制御処理について説明する。この処理は、レンズマイコン１１０がコンピュータプログラムである表示制御プログラムに従って実行する。
【００３２】
交換レンズ１００がカメラ２００に装着されて前述したマウント部の電源ピンと通信ピンが接続されると、レンズマイコン１１０は、ステップ（以下、Ｓと略記する）２０１においてカメラマイコン２０２との通信を開始する。
【００３３】
次に、Ｓ２０２では、レンズマイコン１１０は、カメラマイコン２０２から送信された設定撮影モードの情報を受信する。これにより、レンズマイコン１１０は、設定撮影モードが、静止画ＶＦ撮影モード、静止画ＬＶ撮影モードおよび動画撮影モードのいずれであるかを判別する。
【００３４】
次に、Ｓ２０３では、レンズマイコン１１０は、表示素子１１２での表示情報（焦点距離、被写体距離、被写界深度等の情報）の表示を開始するトリガとなる表示トリガをカメラマイコン２０２から受信するまで待つ。
【００３５】
静止画ＶＦ撮影モードでの表示トリガには、ＡＦを含む撮影準備動作の開始を示す通知であるレンズ駆動通信コマンド１（以下、Ｓ１と略記する）がある。なお、撮像素子２０１の露光時間の開始を示す通知であるレンズ駆動通信コマンド２（以下、Ｓ２と略記する）を表示トリガとしてもよい。コマンドＳ１は、撮影スイッチ２１３の第１のスイッチＳＷ１が操作されることに応じてカメラマイコン２０２が生成し、レンズマイコン１１０に送信される。コマンドＳ２は、撮影スイッチ２１３の第２のスイッチＳＷ２が操作されることに応じてカメラマイコン２０２が生成し、レンズマイコン１１０に送信する。また、表示素子１１２に表示される表示情報の内容を選択するための表示スイッチ１１９が操作されたことを示す通知も表示トリガとなる。表示トリガを受信したレンズマイコン１１０はＳ２０４に進む。なお、設定撮影モードを判別するＳ２０２と表示トリガの受信を待つＳ２０３の順序とを入れ替えてもよい。
【００３６】
また、静止画ＬＶ撮影モードおよび動画撮影モードでの表示トリガには、カメラ２００において静止画ＬＶ撮影モードまたは動画撮影モードが設定されたことを示す通知等がある。
【００３７】
Ｓ２０４では、レンズマイコン１１０は、Ｓ２０２でカメラマイコン２０２から受信した設定撮影モードが静止画ＶＦ撮影モードか否かを判定する。静止画ＶＦ撮影モードであればＳ２０５に進み、後述する第１の制御を行い、そうでなければ（設定撮影モードが静止画ＬＶ撮影モードや動画撮影モードである場合は）Ｓ２０８に進む。
【００３８】
Ｓ２０５とＳ２０８のいずれにおいても、レンズマイコン１１０は、既にステップＳ２０３で表示トリガを受信しているので、表示素子１１２での表示情報の表示を開始する表示制御（第３の制御および第４の制御）を行う。Ｓ２０５以降において、レンズマイコン１１０は、表示素子１１２での表示情報の表示をその開始から所定時間（これについては後述する）の経過により終了する表示制御を行う。レンズマイコン１１０は、表示素子１１２の表示開始からの経過時間のカウントを開始する。なお、設定撮影モードが静止画ＶＦ撮影モードの場合、レンズマイコン１１０は、カメラ２００の電源がオフになったことを示す情報や省電力モードへの移行命令を受信することに応じて表示情報の表示を停止する。レンズマイコン１１０は、表示情報の表示開始から所定時間を経過するか否かに関わらず、カメラ２００の電源がオフになったことを示す情報や省電力モードへの移行命令を受信した場合には表示情報の表示を停止する。
【００３９】
ここで、カメラ２００の電源がオフになるというのは、カメラ２００に含まれる電源スイッチがオフ状態に操作されたことを示す。また、省電力モードへの移行命令は、カメラマイコン２０２からレンズマイコン１１０に送信される命令であり、レンズマイコン１１０は、この移行命令を受信することに応じて、交換レンズ１００を省電力モードに移行させる。交換レンズ１００における省電力モードとは、アクティブモードと比較して消費電力を低下させたモードであり、レンズマイコン１１０は、交換レンズ１００が省電力モードに移行することに応じて、表示情報の表示を停止する。
【００４０】
Ｓ２０５において表示素子１１２での表示情報の表示開始から所定時間経過したと判断すると、レンズマイコン１１０は、Ｓ２０６において表示延長トリガが発生したか否かを判定する。表示延長トリガが発生した場合は、Ｓ２０５に戻り、経過時間をリセットして時間のカウントを再開する。表示延長トリガが発生していない場合は、Ｓ２０７に進み、表示情報の表示を停止する。
【００４１】
ここで、表示延長トリガは、例えばカメラ２００からコマンドＳ１やコマンドＳ２を受信したことや、表示スイッチ１１９が操作されたことを示す通知を受信したときに発生する。また、ズーム操作リング１０９やフォーカス操作リング１１８が操作されたことを示す通知を受信したときや、カメラの撮影モードが静止画ＬＶ撮影モードや動画撮影モードへ切り替えられたことを示す通知を受信したときにも表示延長トリガが発生する。
【００４２】
なお、図２のフローチャートでは、Ｓ２０５において表示開始から所定時間経過した後にＳ２０６における判断が行われているが、Ｓ２０６の判断は、表示情報が表示されている間、継続して行われるようにしてもよい。例えば、表示延長トリガが発生した場合に、経過時間のカウントをリセットされるように設定したときには、カウントが所定時間に達することにより表示情報を非表示にする制御を行ってもよい。
【００４３】
以上説明したように、カメラの設定撮影モードが静止画ＶＦ撮影モードの場合、レンズマイコン１１０は、上述した第１の制御を行う。
【００４４】
図４および図５には、カメラ２００の設定撮影モードが静止画ＶＦ撮影モードであると判定したレンズマイコン１１０による表示素子１１２の表示制御処理のタイミングを示している。図４には、カメラ２００に設けられた撮影スイッチ２１３のうち第１のスイッチＳＷ１が操作されてから撮影（撮像素子２０１の露光）が終了するまでに表示素子１１２の表示制御処理が実行されるタイミングを示す。
【００４５】
Ｓ１１は、カメラマイコン２０２による上述したコマンドＳ１の生成（レンズマイコン１１０への送信）に応じて開始される撮影準備動作の期間、すなわち撮影準備期間（Ｔ４１〜Ｔ４２）を示す。また、Ｓ２１は、カメラマイコン２０２による上述したコマンドＳ２の生成（レンズマイコン１１０への送信）のタイミングＴ４２を示す。Ｔｄ１は、コマンドＳ２に応じて開始される撮影のための撮像素子２０１の露光時間（撮影時間：以下、露光期間という）（Ｔ４２〜Ｔ４３）を示す。この場合、レンズマイコン１１０は、Ｔｈ１に示すように、表示素子１１２での表示をタイミングＴ４１で開始させた後、タイミングＴ４３までの第１の所定時間、すなわち露光期間（Ｔ４２〜Ｔ４３）の間、継続する。      
【００４６】
また、Ｓ２２にはコマンドＳ２の生成（レンズマイコン１１０への送信）が、Ｓ２１に比べて長時間続けられ、露光期間（Ｔｄ１）が長秒時（Ｔ４２〜Ｔ４４）となった場合を示す。この場合、レンズマイコン１１０は、Ｔｈ２に示すように、表示素子１１２での表示をタイミングＴ４１で開始させた後、タイミングＴ４４までの第１の所定時間、すなわち露光期間（Ｔ４２〜Ｔ４４）の間、継続する。
【００４７】
このように、レンズマイコン１１０は、静止画ＶＦ撮影モードにおいては、露光の開始から終了までの露光期間を第１の所定時間として、該第１の所定時間の間、表示素子１１２での表示情報の表示が維持されるように制御する。なお、第１の所定時間は、露光期間に対応して可変である。
【００４８】
図５には、交換レンズ１００に設けられた表示スイッチ１１９の操作によって表示素子１１２に表示される表示情報の内容（焦点距離、被写体距離、被写界深度等）を任意のタイミングで変更する場合の表示制御処理のタイミングを示している。また、同図には、レンズ操作部材の操作中に表示素子１１２での表示が継続される場合も併せて示している。
【００４９】
ＳＷ５は、表示スイッチ１１９が２回のタイミング（Ｔ５１，Ｔ５３）で操作されたことを示す。この２回の操作によって表示素子１１２に表示される表示情報の内容が２回変更される。この場合、レンズマイコン１１０は、表示素子１１２にＴｈ５１に示す期間（Ｔ５１〜Ｔ５４’）の間、表示情報の内容を変更しつつ表示情報の表示を継続する。つまり、最初の表示スイッチ１１９の操作をトリガとして第２の所定時間（一定の時間）の間、表示情報の表示を継続する。Ｔｈ５２は表示素子１１２での表示中（Ｔ５１〜Ｔ５４’）のタイミングＴ５４でレンズ操作部材の操作（Ｔｓ１）を検出したレンズマイコン１１０が、該操作の終了タイミングＴ５５から第２の所定時間（Ｔ５５〜Ｔ５６）の間は表示素子１１２の表示を継続することを示す。
【００５０】
したがって、図５の場合には、表示素子１１２での表示の開始（Ｔ５１）からタイミングＴ５５でのレンズ操作部材の操作終了後の第２の所定時間の経過時点（Ｔ５６）まで、該表示が継続される。
【００５１】
なお、図５における第２の所定時間は、例えば１５秒程度に設定することが好ましいが、これ以外の時間であってもよい。また、第１および第２の所定時間をユーザの操作により可変設定できるようにしてもよい。
【００５２】
一方、Ｓ２０８では、レンズマイコン１１０は、表示素子１１２での表示をその後のＳ２０９にてカメラマイコン２０２から非表示トリガ（特定の通知）を受信するまで継続する制御（第２の制御）を行う。カメラマイコン２０２からの非表示トリガとは、例えばカメラ２００の電源オフを示す通知や、カメラ２００が省電力モードに移行することを示す通知である。
【００５３】
Ｓ２０９で非表示トリガを受信していないと判定した場合は、レンズマイコン１１０はＳ２０４に戻って再び、設定撮影モードの判定を行い、ここで設定撮影モードが静止画ＬＶ撮影モードや動画撮影モードであれば、再度Ｓ２０８に進む。このように、静止画ＬＶ撮影モードや動画撮影モードでは、レンズマイコン１１０は、カメラマイコン２０２から非表示トリガを受信するまで、表示素子１１２での表示を継続する。
【００５４】
図６には、表示素子１１２の表示制御に関わる構成を示している。レンズマイコン１１０内の表示制御部６０１は、カメラ２００との通信によりカメラ情報６０４を取得する。カメラ情報６０４は、設定撮影モードの情報、撮影スイッチ２１３の操作を示す情報（コマンドＳ１，Ｓ２）、撮像素子２０１の露光時間および背面モニタ２０４における表示タイミングの情報等が含まれる。
【００５５】
また、表示制御部６０１は、レンズ情報６０３を取得する。レンズ情報６０３は、フォーカス駆動部１０７にてフォーカスモータ（ステッピングモータ）１０５に印加された駆動パルス数、フォーカス操作リング１１８やズーム操作リング１０９の回転位置、フォーカスモード切替えスイッチ１１７の操作位置の情報等を含む。
【００５６】
さらに、表示制御部６０１は、記憶部１１４に記憶されたフォーカス位置と被写体距離との対応関係、ズーム位置と焦点距離との対応関係および絞り位置とＦ値との対応関係を示すデータから被写体距離、焦点距離およびＦ値を読み出す。また、記憶部１１４に記憶された表示素子１１２に表示する各種表示シンボルのデータも取得する。表示制御部６０１は、これらのデータを加工または合成したり該データを用いて演算したりして、表示駆動部１１６を介して被写体距離、焦点距離および被写界深度等の表示情報を表示素子１１２に表示させる。
【００５７】
レンズマイコン１１０内には、表示素子１１２での表示開始からの経過時間をカウントする表示タイマ６０２が設けられている。表示制御部６０１は、この表示タイマ６０２によるカウント値を用いて、図２のフローチャートに示した表示制御処理を実行する。経過時間のカウント中にレンズ操作部材の操作を検出した表示制御部６０１は、表示タイマ６０２のカウント値をリセットして、改めて経過時間のカウントを開始させる。
【００５８】
以上説明したように、本実施例では、レンズマイコン１１０は、カメラ２００における設定撮影モードに応じて、表示素子１１２の表示と非表示を制御する表示制御として異なる制御を行う。具体的には、設定撮影モードに応じて表示素子１１２の表示時間を異ならせる。
【００５９】
より詳しくは、静止画ＶＦ撮影モードでは、表示トリガに応じて表示素子１１２での表示を開始させた後、第１の所定時間の経過により非表示とする。この際、表示トリガとなるのは撮影準備動作の開始通知であり、第１の所定時間は露光時間に応じて可変としてもよいし、予め決められた特定の時間であってもよい。このように、静止画ＶＦ撮影モードにおいては表示素子１１２の表示と非表示とが撮影ごとに切り替えられることにより、省電力化を達成することができる。
【００６０】
一方、静止画ＬＶ撮影モードおよび動画撮影モードでは、静止画ＶＦ撮影モードとは異なる表示トリガに応じて表示素子１１２での表示を開始させた後、非表示トリガを受信するまで該表示を継続する。これにより、静止画ＬＶ撮影モードおよび動画撮影モードに適した表示素子１１２に対する表示制御を行うことができる。
【００６１】
なお、本実施例では、設定撮影モードに応じて表示素子１１２の表示と非表示を制御する場合について説明した。これに加えて、カメラ２００の背面モニタ２０４の状態を示す情報を取得し、背面モニタ２０４の表示開始および表示停止に同期して表示素子１１２での表示と非表示を制御するようにしてもよい。
【実施例２】
【００６２】
図３には、本発明の実施例２である交換レンズにて行われる表示制御処理のフローチャートを示す。本実施例では、交換レンズが装着されたカメラの種類を識別し、その識別結果に応じて実施例１で説明した表示制御処理を行ったり別の表示制御処理を行ったりする。なお、本実施例の交換レンズの構成は実施例１と同じであり、本実施例において実施例１と共通する構成要素には実施例１と同符号を付す。
【００６３】
交換レンズ１００がカメラに装着されてそれらのマウント部の電源ピンと通信ピンが接続されると、レンズマイコン１１０は、Ｓ３０１においてカメラマイコン２０２との通信を開始する。
【００６４】
次に、Ｓ３０２では、レンズマイコン１１０は、カメラマイコン２０２からの初期通信としてカメラ情報を受信する。そして、該カメラ情報に含まれるカメラの識別情報から、交換レンズ１００が装着されたカメラ（以下、装着カメラという）の種類を判定する。ここでは、レンズマイコン１１０は、装着カメラ２００の種類が、光学ファインダを有する一眼レフカメラか、図１に示したミラー２０９（つまりは光学ファインダ）がないミラーレスカメラか、動画撮影専用のビデオカメラかを識別する。レンズマイコン１１０は、装着カメラが光学ファインダを有する一眼レフカメラである場合はＳ２００に進み、実施例１で図２を用いて説明した表示制御処理を行う。一方、装着カメラがミラーレスカメラである場合（ミラーレスカメラから電源がオンであると通知を受信した場合）は、レンズマイコン１１０はＳ３０５に進み、装着カメラがビデオカメラである場合はＳ３０６に進む。
【００６５】
Ｓ３０５では、レンズマイコン１１０は、ミラーレスカメラが撮影モードにあるか再生モードにあるかを判別する。撮影モードである場合は、レンズマイコン１１０はＳ３０６に進み、表示素子１１２の表示を開始させる。そして、Ｓ３０７に進む。一方、ミラーレスカメラのモードが撮影を行うことができない再生モード（非撮影モード）である場合、撮影モードに設定されるまでＳ３０５の判定を繰り返す。なお、装着カメラがミラーレスカメラの場合には、レンズマイコン１１０は、表示素子１１２を常時点灯させてもよい。
【００６６】
また、Ｓ３０３で装着カメラがビデオカメラと判定した場合（ビデオカメラの電源がオンであると通知を受信した場合）は、レンズマイコン１１０は、Ｓ３０６に進み、ビデオカメラが撮影モードか再生モードかに関係なく表示素子１１２での表示を開始させる。そして、Ｓ３０７に進む。
【００６７】
Ｓ３０７では、レンズマイコン１１０は、カメラマイコン２０２から非表示トリガを受信したか否かを判定する。非表示トリガを受信した場合は、レンズマイコン１１０は、表示素子１１２を非表示とする。ここにいう非表示トリガは、カメラの電源オフの通知や、撮影モードから再生モードへの切り替えの通知等である。非表示トリガを受信していない場合は、レンズマイコン１１０は、Ｓ３０７の判定を繰り返し、その間、表示素子１１２での表示を継続する。
【００６８】
以上説明したように、本実施例では、装着カメラの種類を判別することで、装着カメラに適した表示素子１１２に対する表示制御処理を行うことができる。
【００６９】
なお、上記実施例では、カメラアクセサリとして交換レンズについて説明したが、カメラに取り外し可能な他のカメラアクセサリであって表示素子を有するもの、例えば外付けフラッシュ装置に実施例１，２で説明したような表示制御処理を行ってもよい。
【００７０】
また、表示素子１１２に表示する情報としては、撮影距離や被写体距離に関する情報、焦点距離に関する情報、絞り値や被写界深度に関する情報等が挙げられる。表示する情報の種類は、表示スイッチ１１９により選択可能である。
【００７１】
また、表示素子１１２に表示される情報に応じて、表示を継続する期間を変更してもよい。例えば、撮影距離や被写体距離に関する情報の表示継続期間を、その他の情報の表示継続期間と比較して長く設定してもよい。
【００７２】
また、表示させた情報ごとに表示回数や表示時間を記憶部１１４に記憶させ、表示回数や表示時間に基づいて表示継続期間を変化させてもよい。
【００７３】
さらに、レンズマイコン１１０が、手持ち撮影状態と三脚を用いた撮影状態のどちらであるのかを判断し、撮影状態に応じて表示継続時間を変化させてもよい。例えば、三脚を用いた撮影を行う際には、交換レンズに備えられた表示素子１１２をユーザが頻繁に確認することが想定されるため、三脚を用いた撮影状態では、表示継続期間を長くする。
（その他の実施例）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【００７４】
以上説明した各実施例は代表的な例にすぎず、本発明の実施に際しては、各実施例に対して種々の変形や変更が可能である。
【図１】
0006494544.tif 000002
【図２】
0006494544.tif 000003
【図３】
0006494544.tif 000004
【図４】
0006494544.tif 000005
【図５】
0006494544.tif 000006
【図６】
0006494544.tif 000007